(57)【特許請求の範囲】
【請求項１】
第１貫通孔を有する枠体における第１貫通孔の貫通方向に送風するように第１貫通孔内に羽根を設けた送風手段と、
第１貫通孔にほぼ一致する第２貫通孔を有し、第２貫通孔内に指保護体が設けられ、第１及び第２の貫通孔を一致させた状態で、前記枠体が第２貫通孔の周囲の面に配置された保護カバーと、
この保護カバーの前記面に前記保護カバーと一体に設けられ、前記枠体の両外側に位置し、先端に係合爪を有し、これら係合爪が、前記枠体の背面に係合し、前記枠体を前記保護カバー側に押圧している複数の押圧部と、
前記保護カバーに一体に設けられ、前記送風手段に接触し、前記送風手段を押圧する可撓部とを、
具備し、
前記送風手段は、前記枠体から第１貫通孔内に伸びて前記羽を固定する橋部を有し、前記可撓部は、第２の貫通孔内に伸びる片持ち梁状に形成され、その先端に前記送風手段側に突出して設けられた凸部が前記橋部を押圧している空冷器。
【請求項２】
請求項１記載の空冷器において、前記保護カバーと前記押圧部材と前記凸部とは、合成樹脂製である空冷器。
【請求項３】
請求項１記載の空冷器において、前記枠体に凹部を設け、前記保護カバーに突部を設け、前記凹部に前記突部を進入させることによって、前記枠体が前記保護カバーに位置決めされる空冷器。
【発明の詳細な説明】
【技術分野】
【０００１】
本発明は、例えば電子機器を空気冷却する空冷器に関し、特に、送風器をそれの保護カバーへ取り付ける構造に関する。
【背景技術】
【０００２】
従来、送風器を保護カバーに取り付ける構造としては、例えば特許文献１に開示されているようなものがある。特許文献１の技術によれば、送風器は、枠体に形成した貫通孔内に羽根が配置されている。枠体の４隅にはボルト止め用孔が貫通されている。機器の板状に形成された送風器取付部には、送風器の貫通孔に対応する風穴と、ボルト止め用孔に対応する位置決め孔とが形成されている。この送風器取付部の後方に送風器が配置され、前方に、風穴に対応する大きさの保護カバーが配置されている。保護カバーの４隅には、フック部が形成され、これらフック部は、対応するボルト挿通用孔を通って枠体の対応するボルト止め用孔内を通り、枠体の裏側に係合している。
【０００３】
【特許文献１】特開２００４−１４３９８３号公報
【発明の開示】
【発明が解決しようとする課題】
【０００４】
特許文献１の技術によれば、保護カバーと送風器と送風器取付部との位置決めと保持とを一回の動作で行うことができる。しかし、フック部やボルト止め用孔には寸法公差があり、その寸法公差が大きいことが多い。その場合、送風器が固定されず、例えば横方向に振動して騒音を発生することがある。
【０００５】
本発明は、送風器の振動を大幅に低減した状態に取り付けることができる空冷器を提供することを目的とする。
【課題を解決するための手段】
【０００６】
本発明の一態様の空冷器は、送風手段を有している。送風手段は、枠体を備え、この枠体は、第１貫通孔を有している。第１貫通孔内に、羽が設けられている。この羽は、例えばモータによって駆動され、第１貫通孔の貫通方向に送風する。第１貫通孔にほぼ一致する第２貫通孔を保護カバーが有している。第２貫通孔内に指保護体が設けられている。第１及び第２の貫通孔を一致させた状態で、前記枠体が第２貫通孔の周囲の面に配置されている。この保護カバーの前記面に前記保護カバーと一体に複数の押圧部が設けられている。これら押圧部は、前記枠体の両外側に位置し、先端に係合爪を有し、これら係合爪が、前記枠体の背面に係合し、前記枠体を前記保護カバー側に押圧している。保護カバーに一体に設けられた可撓部が、前記送風手段に接触し、前記送風手段を押圧している。
【０００７】
このように構成すると、送風器の枠体の保護カバーへの取付の際に寸法公差に起因して、隙間が生じても、押圧部と突部が枠体を両側から押圧しているので、羽根を回転させても、送風器の振動を抑制することができる。しかも、押圧部や可撓部は、保護カバーに一体に設けられているので、別途振動防止用の部品を準備したり、この部品を取り付けたりする作業が不要である。
【０００８】
さらに、前記送風手段は、前記枠体から第１貫通孔内に伸びて前記羽を固定する橋部を有している。前記可撓部は、第２の貫通孔内に伸びる片持ち梁状に形成され、その先端に前記送風手段側に突出して設けられた凸部が前記橋部を押圧している。このように送風手段側に突出した凸部が、送風手段側の橋部を押圧するので、バランスよく振動を抑圧することができる。
【０００９】
前記保護カバーと押圧部と凸部と可撓部とは、合成樹脂製にすることができる。このように構成すると、保護カバーの製造時に同時に押圧部や可撓部を製造することができ、工数や部品点数が増加することがない。
【００１０】
前記枠体に凹部を設け、前記保護カバーに突部を設け、前記凹部に前記突部を進入させることによって、前記枠体が前記保護カバーに位置決めすることができる。このように構成すると、保護カバーと送風手段との位置決めと固定とを同時に行うことができ、作業性が向上する。
【発明の効果】
【００１１】
以上のように、本発明によれば、低コストで、かつ簡単な作業のみで、確実に送風器の振動を低減することができる。
【発明を実施するための最良の形態】
【００１２】
本発明の１実施形態の空冷器は、図１に示すように、送風手段、例えば送風器２を有している。送風器２は、枠体４を備えている。この枠体４は、例えば扁平な直方体状に形成され、その中央に円形の貫通孔６が形成されている。この貫通孔６内に羽根８が配置されている。この羽根８は、図２に示すように貫通孔６の一方の面側に所定角度、例えば９０度間隔に設けた複数、例えば４つの橋部７によって貫通孔６の中心に位置するように、かつ固定されている。この羽８は、内蔵するモータ（図示せず）によって回転させられ、貫通孔６の貫通方向に送風する。
【００１３】
空冷器は、送風器２の他に保護カバー１０も有している。保護カバー１０は、長方形状の板状部１２を有し、その中央には、送風器２の貫通孔６に対応する大きさの貫通孔、例えば風穴１４が形成されている。この風穴１４には、風穴１４の中央に位置する小円板状部１６から風穴１４の周縁部まで放射状に伸びた複数、例えば８つのリブ１８が形成されている。この実施形態では、リブ１８は、隣接するものと等角度、例えば４５度の角度をなすように配置されている。風孔１４を介して羽根８に指が接触するのを防止するために、指保護体として、複数例えば４つの円弧状部２０が所定角度ごとに、例えば９０度間隔にリブ１８間に形成されている。
【００１４】
円弧状部２２が９０度間隔に設けられているので、隣接するリブ１８間に円弧状部２０が形成されていないものが存在するが、これら円弧状部２０が存在しない隣接する２つのリブ２０の一方から他方に向けて、可撓部、例えばバネ部２２が形成されている。バネ部２２は、円弧状部２０と同一円周上に位置する同一円周上に形成されている。これらバネ部２２の先端部が、リブ１８とは接続されて無く、片持ち梁状に形成されている。これらバネ部２２の先端の一方の面側には、この一方の面よりも突出した状態に凸部２４が形成されている。この凸部２４が形成されている面側に送風機２が取り付けられ、これら凸部２４は、各橋部７に接触し、送風機２を保護カバー１０と反対側に押圧する。この保護カバー１０は、例えば合成樹脂によって製造されており、そのため片持ち梁状に形成されたバネ部２２は、風穴１４の貫通方向に撓むことが可能である。また、バネ部２２は、その先端がリブ１８との間に隙間をあけているので、型抜きが容易である。
【００１５】
板状部１２の一方の面における風穴１４の４隅に、位置決め用の突部２８がそれぞれ形成されている。これら突部２８に対応するように送風器２の枠体４にも、貫通孔６の４隅に、凹部、例えば貫通孔６の貫通方向に貫通した挿通孔３０が形成されている。これら挿通孔３０に各突部２８を挿通することによって、枠体４が保護カバー１０に対して位置決めされている。なお、保護カバー１０は、図示していない機器、例えば電気機器の筐体に取り付けられるもので、そのために、板状部１２の枠体４側の面における長手縁両側には、板状部１２にほぼ垂直に矩形の壁部３２、３２が形成され、これら壁部３２の外面側には、それぞれ２本の条体３４が間隔をおいて平行に形成されている。
【００１６】
また、これら壁部３２、３２の内面側には、枠体４の両側面に接近して、板状体３６、３６が形成されている。
【００１７】
枠体４は、上述したように突部２８を挿通孔３０へ挿通することによって板状部１２に位置決めされ、この位置決め状態で枠体４を固定するために、押圧部３８が設けられている。
【００１８】
押圧部３８は、枠体４の両側面にほぼ接するように位置している。枠体４の両側に位置する押圧部３８間の距離は、枠体４の幅寸法よりも幾分短く設定されている。各押圧部３８は、板状部１２と反対側に伸び、その先端は、枠体４の背面側まで伸び、先端には、それぞれ枠体４の背面に係合する係合爪４０が形成されている。これら押圧部３８は、保護カバー１０と一体に合成樹脂によって形成されている。従って、押圧部３８は、可撓性を有し、図３に示すように各押圧部３８の係合爪４０が枠体４の背面に係合している状態では、幾分撓んでおり、保護カバー１０側に枠体４を押圧している。一方、上述したように、保護カバー１０側のバネ部２２の各凸部２４が送風機２の橋部７を保護カバー１０と反対側に押圧している。このように係合爪４０と凸部２４とによって、枠体４が両側から固定される。その結果、羽根８を回転させても、筐体４の振動を大幅に低減することができる。
【００１９】
上記の実施形態では、押圧部３８は、枠体４の両側に設けたが、板状部１２の高さ寸法が上記の実施形態の場合よりも長く、枠体４の上下にも押圧部３８を設けるスペースが或る場合には、これらスペースにも押圧部３８を設けることもできる。上記の実施形態では、４つの押圧部３８を設けたが、その数は任意に変更でき、最低限度、枠体４の両側に１個ずつ設ければよい。上記の実施形態では、バネ部２２と凸部２４とは、それぞれ４つ形成したが、これらの数は、バランスを考慮して、３つ以上形成することが望ましいが、数は必ずしも限定されるものではない。バネ部２２は円弧状に形成したが、これに限ったものではなく、風穴１４を横断したり、縦断したり、または斜めに横切るように形成することもできる。上記の実施形態では、貫通孔６の貫通方向に貫通した挿通孔３０を形成したが、必ずしも貫通させる必要はなく、突部２８が進入可能な凹部であればよい。
【図面の簡単な説明】
【００２０】
【図１】本発明の一実施形態の空冷器の一方の方向から見た組み立て図である。
【図２】図１の空冷器の図１とは反対の方向から見た組み立て図である。
【図３】図１の空冷器の平面図である。
【符号の説明】
【００２１】
２  送風器（送風手段）
４  枠体
６  貫通孔（第１の貫通孔）
８  羽根
１０  保護カバー
１４  風穴（第２の貫通孔）
２０  指保護体（円弧状部）
３８  押圧部材
【図１】
0005154302.tif 000002
【図２】
0005154302.tif 000003
【図３】
0005154302.tif 000004